(57)【特許請求の範囲】
【請求項１】
外部から電力を受ける受電手段と、
前記受電された電力の少なくとも一部を蓄電し、該蓄電した電力を負荷に供給する蓄電手段と、
前記受電手段により外部から受電されている状態で、前記負荷により消費される消費電力が前記受電された電力を超えているか否かを判断する判断手段と、
前記判断手段の判断により、前記受電手段により外部から受電されている状態で、前記負荷により消費される消費電力が前記受電された電力を超えると判断されたことを条件に、前記負荷により消費される電力を減少させる省電力モードにする制御手段と、を備えた携帯情報端末。
【請求項２】
前記制御手段は、複数種類のアプリケーションプログラムを実行可能であり、
前記複数種類のアプリケーションプログラム各々が前記制御手段により実行されると、前記制御手段は、前記複数の負荷の少なくとも１つを駆動させ、
前記制御手段は、前記省電力モードにあるときは、前記複数種類のアプリケーションプログラムのうち実行しているアプリケーションプログラムの少なくとも１つを終了させる、請求項１に記載の携帯情報端末。
【請求項３】
前記受電手段により受電された電力を計測する外部電力計測手段をさらに備え、
前記制御手段は、前記計測された電力に基づいて、前記終了させるアプリケーションプログラムを決定する決定手段を含む、請求項２に記載の携帯情報端末。
【請求項４】
前記受電手段は、第１の外部電源から受電する第１受電手段と、
第２の外部電源から受電する第２受電手段とを含み、
前記制御手段は、前記第１受電手段および前記第２受電手段のいずれから受電されているかに基づいて、前記終了させるアプリケーションプログラムを決定する決定手段を含む、請求項２または３に記載の携帯情報端末。
【請求項５】
前記制御手段は、前記負荷により消費される消費電力が前記受電された電力を超え、かつ、前記蓄電手段の出力電圧が所定の値を下回っていることをさらに条件として、前記省電力モードにする、請求項１〜４のいずれかに記載の携帯情報端末。
【請求項６】
前記省電力モードにおける前記複数の負荷の消費電力は、前記受電された電力よりも小さい、請求項１〜５のいずれかに記載の携帯情報端末。
【請求項７】
前記制御手段は、前記省電力モードにした後、前記蓄電手段の出力電圧が回復したときは、前記省電力モードを解除する解除手段を含む、請求項１〜６のいずれかに記載の携帯情報端末。
【発明の詳細な説明】
【技術分野】
【０００１】
この発明は、携帯情報端末に関し、特に二次電池から電力を受けて駆動する携帯情報端末に関する。
【背景技術】
【０００２】
近年、携帯電話の機能が向上し、携帯電話をテレビ、ラジオ、オーディオ、ゲーム機器として使用するのみならず、インターネットのＷｅｂサイトをブラウズする情報通信端末として使用することが可能となっている。携帯電話は、駆動源にニッケル水素電池等の二次電池が用いられるため、二次電池を充電する必要がある。携帯電話の二次電池を充電する際、通常は、商用電源に接続されたＡＣアダプタが装着される。携帯電話は、ＡＣアダプタを接続した充電状態で携帯電話を使用すると、ＡＣアダプタが出力する電力が携帯電話の負荷に供給される（例えば、特許文献１）。
【０００３】
しかしながら、ＡＣアダプタは出力電力が異なるものがあり、携帯電話の消費電力を超える電力を出力可能なＡＣアダプタが接続されればよいが、携帯電話の消費電力に満たない電力しか出力できないＡＣアダプタが接続されると、携帯電話の負荷が消費する電力を補うために二次電池から電力が供給される。二次電池の蓄電容量が減少すると電力を負荷に供給できなくなり、携帯電話が突然駆動を停止してしまう。携帯電話に供給される電力が不足して携帯電話で実行されるプログラムが終了処理をすることなく停止すると、アクセス中のデータが破壊されたり、設定データを書き込みすることなくプログラムが終了して、次に電力が供給されたときに、正常に起動しなくなって故障したりする。
【特許文献１】特開平８−９８４２１号公報
【発明の開示】
【発明が解決しようとする課題】
【０００４】
この発明は上述した問題点を解決するためになされたもので、この発明の目的の一つは、充電状態において使用可能にすると共に、データの喪失または故障を未然に防止した携帯情報端末を提供することである。
【課題を解決するための手段】
【０００５】
この発明は上述した目的を達成するためになされたもので、この発明のある局面によれば、携帯情報端末は、外部から電力を受ける受電手段と、受電された電力の少なくとも一部を蓄電し、該蓄電した電力を負荷に供給する蓄電手段と、受電手段により外部から受電されている状態で、負荷により消費される消費電力が受電された電力を超えているか否かを判断する判断手段と、判断手段の判断により、受電手段により外部から受電されている状態で、負荷により消費される消費電力が受電された電力を超えると判断されたことを条件に、負荷により消費される電力を減少させる省電力モードにする制御手段と、を備える。
【０００６】
この発明に従えば、外部から電力が受電されている状態で、負荷により消費される消費電力が受電された電力を超えると、省電力モードとされる。このため、蓄電手段に充電するための電力が確保されるので、蓄電手段が負荷に電力を供給し続けて蓄電容量が減少することがない。その結果、充電状態において使用可能にすると共に、データの喪失または故障を未然に防止した携帯情報端末を提供することができる。
【０００７】
好ましくは、制御手段は、複数種類のアプリケーションプログラムを実行可能であり、複数種類のアプリケーションプログラム各々が制御手段により実行されると、制御手段は、複数の負荷の少なくとも１つを駆動させ、制御手段は、省電力モードにあるときは、複数種類のアプリケーションプログラムのうち実行しているアプリケーションプログラムの少なくとも１つを終了させる。
【０００８】
この発明に従えば、省電力モードにあるときは、複数種類のアプリケーションプログラムのうち実行しているアプリケーションプログラムの少なくとも１つが終了されるので、アプリケーションプログラムを正常に終了させることができるとともに、消費電力を減少させて実行中のプログラムを継続して実行可能にすることができる。
【０００９】
好ましくは、受電手段により受電された電力を計測する外部電力計測手段をさらに備え、制御手段は、計測された電力に基づいて、終了させるアプリケーションプログラムを決定する決定手段を含む。
【００１０】
この発明に従えば、可能な限りアプリケーションプログラムを実行させつつ、消費電力が外部から受電した電力を超えないようにすることができる。例えば、計測された電力が大きければ、消費電力の少ない負荷を駆動させるアプリケーションプログラムを終了させ、計測された電力が小さければ、消費電力の大きな負荷を駆動させるアプリケーションプログラムを終了させるようにして、消費電力が受電される電力を超えないようにすることができる。
【００１１】
好ましくは、受電手段は、第１の外部電源から受電する第１受電手段と、第２の外部電源から受電する第２受電手段とを含み、制御手段は、第１受電手段および第２受電手段のいずれから受電されているかに基づいて、終了させるアプリケーションプログラムを決定する決定手段を含む。
【００１２】
この発明に従えば、可能な限りアプリケーションプログラムを実行させつつ、消費電力が外部から受電した電力を超えないようにすることができる。例えば、第１の外部電源から受電する電力が第２の受電手段から受電する電力より大きければ、第１の外部電源から受電する場合には、電力消費電力の小さな負荷を駆動させるアプリケーションプログラムを終了させ、第２の外部電源から受電する場合には、消費電力の大きな負荷を駆動させるアプリケーションプログラムを終了させるようにして、消費電力が受電される電力を超えないようにすることができる。
【００１３】
好ましくは、制御手段は、負荷により消費される消費電力が受電された電力を超え、かつ、蓄電手段の出力電圧が所定の値を下回っていることをさらに条件として、省電力モードにする。
【００１４】
この発明に従えば、蓄電手段の出力電圧が所定の値以上であれば、蓄電手段の負荷に供給するのに十分な蓄電容量なので、負荷に電力が供給される。このため、可能な限り負荷を駆動させることができる。
好ましくは、省電力モードにおける複数の負荷の消費電力は、受電された電力よりも小さい。
好ましくは、制御手段は、省電力モードにした後、蓄電手段の出力電圧が回復したときは、省電力モードを解除する解除手段を含む。
この局面に従えば、蓄電手段の出力電圧が回復するまで充電されれば、蓄電手段に負荷に供給するのに十分な電力が蓄電されているので、省電力モードを解除して負荷を駆動させても、負荷が駆動を停止するのをしばらくの間防止することができる。
【発明を実施するための最良の形態】
【００１５】
以下、本発明の実施の形態について図面を参照して説明する。以下の説明では同一の部品には同一の符号を付してある。それらの名称および機能も同じである。したがってそれらについての詳細な説明は繰返さない。
【００１６】
＜第１の実施の形態＞
図１は、本発明の第１の実施の形態における携帯電話の外観を示す斜視図である。図１を参照して、携帯電話１は、操作側部３と、表示側部２とを含む。操作側部３の内側面には、テンキーおよび通話キー等の操作キー１４と、マイク１３とが配置され、内側面に反対の外側面には後述するカメラ２４が配置される。表示側部２の内側面には、液晶表示装置（ＬＣＤ）１５と、第１スピーカ１１とが配置される。また、表示側部２の側面には、第２スピーカ１２が配置される。なお、ここでは携帯電話１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。
【００１７】
操作側部３と表示側部２とは、ヒンジ機構で回転可能に連結され、操作側部３と表示側部２とは開閉自在である。また、表示側部２は、ヒンジ機構の回転軸に直交する回転軸を中心に操作側部３に対して回転可能に連結される。これにより、携帯電話１は、フリップクローズスタイル（以下「クローズスタイル」という）、フリップオープンスタイル（以下「オープンスタイル」という）、ツイストスタイル、フロントスタイルの４つに状態を遷移することが可能である。クローズスタイルは、操作側部３の内側面と表示側部２の内側面とが向かい合う閉状態である。クローズスタイルは、ＬＣＤ１６と操作キー１４とが向かい合うため、操作キー１４とＬＣＤ１６とが外部と接触することがなく、外部の物に触れてユーザが意図しない操作が入力されたり破損したりするのが防止されるので、運搬に適したスタイルである。オープンスタイルは、操作側部３の内側面と表示側部２の内側面とが同じ方向を向き、ユーザが目視可能な開状態である。マイク１３とスピーカ１１とが同じ方向となるため通話するのに適した状態であり、また、ＬＣＤ１４と操作キー１４とが同じ方向となるためＬＣＤ１４を見ながら操作キー１４を操作するのに適したスタイルである。さらに、カメラ２４の撮像方向とＬＣＤ１６の表示面とが反対方向となるため、他人を被写体として撮影するのに適したスタイルである。ツイストスタイルは、操作側部３の内側面と表示側部２の外側面とが同じ方向を向く開状態である。カメラ２４とＬＣＤ１６とが同じ方向となるため、ユーザを被写体として撮影するのに適したスタイルである。フロントスタイルは、操作側部３の内側面と表示側部２の外側面とが向かい合う閉状態である。カメラ２４とＬＣＤ１６とが反対方向となるため、他人を被写体として撮影するのに適したスタイルである。また、テレビを視聴するのに適したスタイルである。
【００１８】
図２は、第１の実施の形態における携帯電話の機能の一例を示す機能ブロック図である。図２を参照して、携帯電話１は、携帯電話１の全体を制御するための制御部２１と、アンテナ２２Ａと接続された無線回路２２と、音声データを処理するためのコーデック部２８と、それぞれがコーデック部２８に接続されたマイク１３および第１スピーカ１１と、アンテナ２２Ａに接続されたチューナ２３と、ＡＶデコーダ２９と、カメラ２４と、ユーザの操作の入力を受付ける操作部２５と、ＬＣＤ１６の表示を制御するための表示制御部３０と、制御部２１で実行するプログラム等を記憶するためのＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、アドレス帳データ等を不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３３と、振動部２６と、カードインターフェース（Ｉ／Ｆ）２７と、ＵＳＢ（Ｕｎｉｖｅｒｓａｌ  Ｓｅｒｉａｌ  Ｂｕｓ）等の外部通信接続端子３４と、電源制御部３５と、携帯電話１で消費される電力を検出するための消費電力検出部３６とを含む。
【００１９】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして第１スピーカ１１に出力する。また、コーデック部２８は、マイク１３からアナログの音声信号が入力され、音声信号をデジタルに変換し、符号化し、そして符号化した音声信号を無線回路２２に出力する。
【００２０】
チューナ２３は、アンテナ２２Ａに接続されており、アンテナ２２Ａにより受信された放送信号が入力される。放送信号は、映像データおよび音声データを含む高周波デジタル変調信号である。チューナ２３は、アンテナ２２Ａから入力される高周波デジタル変調信号から特定の周波数の信号を取り出す。また、チューナ２３は、逆インターリーブ回路、誤り訂正回路を備えており、取り出した特定の周波数の高周波デジタル変調信号を復調して可変長符号をＡＶデコーダ２９に出力する。ＡＶデコーダ２９は、ビデオデコーダおよびオーディオデコーダを備えており、チューナ２３から入力された可変長符号を復号して映像信号および音声信号を生成し、映像信号をＤ／Ａ（デジタル／アナログ）変換して表示制御部３０に出力し、音声信号をＤ／Ａ変換して第２スピーカ１２に与える。なお、ここでは、デジタルテレビジョン放送の放送電波を受信して再生する例を示したが、アナログテレビジョン放送の放送電波を受信して再生するようにしてもよい。また、テレビジョン放送に代えて、または、テレビジョン放送に加えて、ラジオ放送の放送電波を受信して再生するようにしてもよい。
【００２１】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００２２】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１で実行するためのプログラムをＲＯＭ３１に記憶しておく例を説明するが、プログラムをフラッシュメモリ２７Ａに記憶しておき、フラッシュメモリ２７Ａからプログラムを読み出して、制御部２１で実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ
−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ、ＥＥＰＲＯＭなどの半導体メモリ等でもよい。また、携帯電話１をインターネットに無線回路２２を介して接続し、インターネットに接続されたコンピュータからプログラムをダウンロードして、制御部２１で実行するようにしてもよい。ここでいうプログラムは、制御部２１により直接実行可能なプログラムだけでなく、ソースプログラム形式のプログラム、圧縮処理されたプログラム、暗号化されたプログラム等を含む。
【００２３】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、光電変換した画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１６に表示させる、または、圧縮符号化方式で静止画データまたは動画データを符号化して、ＥＥＰＲＯＭ３４またはカードＩ／Ｆ２７に装着されたフラッシュメモリ２７Ａに記憶する。
【００２４】
操作部２５は、操作キー１４と、ランプ２５Ａとを含む。操作キー１４は、ユーザによる操作の入力を受付、受付けた操作を制御部２１に出力する。ランプ２５Ａは、制御部２１により制御されて発光する。
【００２５】
制御部２１は、操作キー１４から操作が入力されると、入力された操作に応じて処理を実行する。制御部２１は、ＲＯＭ３１に記憶されている複数のアプリケーションプログラムを読出して実行する。アプリケーションプログラムには、携帯電話１をテレビまたはラジオとして機能させるためのアプリケーションプログラム、携帯電話１をデジタルカメラまたはデジタルビデオカメラとして機能させるためのアプリケーションプログラム、携帯電話１をオーディオ機器として機能させるためのアプリケーションプログラム、携帯電話１をゲーム機として機能させるためのアプリケーションプログラム、携帯電話１を外部機器と通信する通信機器として機能させるためのアプリケーションプログラム、ブラウジングプログラム、アドレス帳を編集するためのアプリケーションプログラム、電子メールを送受信するためのアプリケーションプログラムを含む。これらのアプリケーションプログラムは、Ｃ言語やＪＡＶＡ（登録商標）などのプログラム言語で記述されるが、アプリケーションプログラムが記述されるプログラム言語は、これらに限定されることなく、他のいかなるプログラム言語で記述されてもよい。また、複数のアプリケーションプログラムがＲＯＭ３１に記憶されて携帯電話１に搭載されるが、複数のアプリケーションプログラムは、単一のプログラム言語で記述されたものであってもよいし、異なるプログラム言語で記述されたものであってもよい。すなわち、複数のプログラム言語で記述されたアプリケーションプログラムが混在してもよい。
【００２６】
制御部２１は、複数のアプリケーションプログラムを同時に実行することが可能であるが、実行するアプリケーションプログラムの数が増えるほど、負荷が増大して消費電力が高くなる。また、制御部２１は、アプリケーションプログラムを実行するときに、チューナ２３、ＡＶデコーダ２９、第２スピーカ１２、カメラ２４、表示制御部３０、ＬＣＤ１６および外部通信接続端子３４等の負荷を駆動させるので、アプリケーションプログラムが実行されていると、そのアプリケーションプログラムに応じた負荷で電力が消費される。たとえば、制御部２１で携帯電話１をテレビとして機能させるためのアプリケーションプログラムが実行される場合には、チューナ２３、ＡＶデコーダ２９、第２スピーカ１２、表示制御部３０およびＬＣＤ１６が駆動され、それぞれで電力が消費される。
【００２７】
電源制御部３５は、外部電源４５が接続される外部電源端子４３と、外部電力検出部４４と、二次電池４１とを含み、携帯電話１の各負荷に電力を供給する。外部電源４５は、商用電源に接続されたＡ／Ｃアダプタである。二次電池４１は、ニッカド電池、ニッケル水素電池またはリチウムポリマ電池等である。外部電力検出部４４は、外部電源４５が外部電源端子４３に接続されていることを検出し、外部電源４５が接続されているか否かを示す信号を制御部２１に出力する。
【００２８】
電源制御部３５は、携帯電話１で消費される消費電力が外部電源４５から供給される電力より小さい場合、外部電源４５から供給される電力を、携帯電話１に供給しつつ残りの電力を二次電池４１に供給して二次電池４１を充電するように構成される。また、電源制御部３５は、携帯電話１で消費される消費電力が外部電源４５から供給される電力を超える場合、二次電池４１に蓄積された電力を出力させて、外部電源４５から供給される電力に加えて携帯電話１に供給するように構成される。たとえば、二次電池４１と外部電源４５とを並列接続するようにすればよい。このため、携帯電話１が外部電源４５に接続された状態では、携帯電話１は、外部電源４５から供給される電力を消費するが、消費電力が外部電源４５から供給される電力を超える場合、二次電池４１に蓄積された電力が消費される。
【００２９】
制御部２１は、モード切換部５１を含む。モード切換部５１は、消費電力検出部３６から携帯電話１で消費されている消費電力が入力され、外部電源４５から電力の供給を受けているか否かを示す信号が外部電力検出部４４から入力される。モード切換部５１は、外部電源４５から電力の供給を受けている場合、消費電力検出部３６から入力された消費電力が外部から供給される電力を超えていれば、携帯電話１を省電力モードに切換える。外部電源４５が携帯電話１に供給する電力を予め設定しておくようにし、消費電力検出部３６から入力された消費電力が外部から供給される電力を超えているか否かを判断する。また、外部電力検出部４４が、外部電源４５の出力電力を計測するようにして、計測した電力値を制御部２１に出力するようにしてもよい。外部電源４５の電圧が予め定められている場合には、外部電源４５の出力端子の電流値を計測すればよい。この場合は、出力電力の異なる複数種類の外部電源４５がある場合に、接続された外部電源４５の出力電力を計測するので、制御部２１は外部電源４５から供給される電力を正確に取得することができる。
【００３０】
携帯電話１は、省電力モードの状態では、携帯電話１の消費電力を低減させる。携帯電話１は、無線回路２２、チューナ２３、コーデック部２８、ＡＶデコーダ２９、マイク１３、スピーカ１１，１２、表示制御部３０、ＬＣＤ１６、カメラ２４、ランプ２５Ａ、振動部２６、カードＩ／Ｆ２７等の複数の負荷を含む。携帯電話１は、省電力モードの状態では、複数の負荷の一部の駆動を停止する、または、消費電力を下げて駆動させる。携帯電話１が省電力モードにあるときの消費電力は、外部電源４５の出力電力よりも小さくなる。以下に省電力モードの具体例を示す。
（１）  制御部２１がアプリケーションプログラムを実行している場合、制御部２１はアプリケーションプログラムの終了処理を実行して、アプリケーションプログラムの実行を終了させる。これにより、制御部２１の消費電力が低減する。また、制御部２１がアプリケーションプログラムを実行して駆動させていた負荷が駆動しなくなるので、消費電力が低減する。制御部２１が実行するアプリケーションプログラムが複数ある場合に、それらの全てを終了させてもよいし、一部を終了させてもよい。一部を終了させる場合には、アクティブでないアプリケーションプログラムを終了させる。
（２）  ＬＣＤ１６に表示する画面の輝度を低下させた節電画面を表示させる。これにより、ＬＣＤ１６の消費電力が低減する。
（３）  網検索を停止させる。制御部２１でデータ通信のアプリケーションプログラムが実行されている場合に無線回路２２で実行される網検索を停止する。これにより、無線回路２２の消費電力が低減する。網検索を完全に停止させるのではなく、網検索の頻度を低下させるようにしてもよい。
（４）  外部通信接続端子３４に外部機器が接続されている場合は、外部機器との通信を切断する。これにより、外部通信接続端子３４および制御部２１の消費電力を低減させることができる。外部機器との通信を完全に切断するのではなく、接続確認頻度を低下させるようにしてもよい。
（５）  ＬＣＤ１６に表示する待ち受け画面、背景画面にアニメーション等の動画が用いられる場合には、静止画を表示するようにする。これにより、表示制御部３０およびＬＣＤ１６の消費電力を低減させることができる。
【００３１】
モード切換部５１は、携帯電話１が省電力モードにあるとき、処理を実行することができないことを示すメッセージを含む警告画面をＬＣＤ１６に表示させる。そして、モード切換部５１は、省電力モードとなっている期間が所定時間を超えると、省電力モードを解除して携帯電話１を通常モードに切換える。所定の時間は、二次電池４１の蓄電容量が回復するのに十分な時間である。この際、モード切換部５１は、通常モードに切換わったことを示すための待ち受け画面をＬＣＤ１６に表示させる。待ち受け画面は、携帯電話１に電源が投入されたときに表示される初期画面でもある。このため、ユーザは、待ち受け画面が表示されていることを確認して、通常の操作の入力が可能であることを知ることができる。モード切換部５１は、携帯電話１が通常モードから省電力モードに移行する際、または、携帯電話１が省電力モードから通常モードに移行する際に、第２スピーカ１２から警告音を出力するようにしてもよい。ユーザが携帯電話１のＬＣＤ１６から視線を離している場合でも、ユーザに省電力モードに移行したこと、または省電力モードから通常モードに移行したことを知らせることができる。
【００３２】
図３は、省電力モードでＬＣＤに表示される警告画面の一例を示す図である。警告画面は「充電中です。しばらくお待ちください。」のメッセージを含む。このため、携帯電話１のユーザは、携帯電話１が省電力モードに移行したことを知ることができる。
【００３３】
図４は、第１の実施の形態における携帯電話の制御部２１で実行されるモード切換処理の流れの一例を示すフローチャートである。図４を参照して、制御部２１は、外部電源４５が接続されているか否かを外部電力検出部４４から入力される信号に基づいて判断する（ステップＳ０１）。制御部２１は、外部電源４５が接続されていれば処理をステップＳ０２に進めるが、外部電源４５が接続されていなければ待機状態となる（ステップＳ０１でＮＯ）。すなわち、モード切換処理は、外部電源４５が携帯電話１に接続されることを条件に実行される処理である。制御部２１は、ステップＳ０２では、外部電源４５の電流値を取得する。外部電力検出部４４により外部電源４５の出力する電流が計測され、外部電力検出部４４が計測した電流値を制御部２１に出力するので、制御部２１は、外部電力検出部４４から入力される電流値を外部電源４５の電流値として取得する。制御部２１は、ステップＳ０３で、携帯電話１の消費電流を取得する。消費電力検出部３６で電源制御部３５の出力する電流が計測され、消費電力検出部３６が計測した電流値を制御部２１に出力するので、制御部２１は、消費電力検出部３６から入力される電流値を消費電流として取得する。
【００３４】
制御部２１は、ステップＳ０４において、ステップＳ０３で取得した消費電流値とステップＳ０２で取得した外部電源４５の電流値とを比較し、消費電流が外部電源４５の電流値より大きければ処理をステップＳ０５に進め、そうでなければ処理を終了する。消費電流が外部電源４５の電流値より小さくなければ、二次電池４１が蓄電する電力が消費されることなく、充電されるからである。
【００３５】
制御部２１は、ステップＳ０５では、携帯電話１を省電力モードに設定する。制御部２１は、携帯電話１が有する複数の負荷の一部の駆動を停止する、または、消費電力を下げて駆動させる。ここでの省電力モードは、電話機能を除いた機能により出力される音、画像の出力が一切停止される。具体的には、テレビジョン放送またはラジオ放送の視聴、音楽の再生、カメラを用いた撮影が禁止される。制御部２１は、ステップＳ０６では、ＬＣＤ１６に警告画面を表示させる。これにより、図３に示した警告画面がＬＣＤ１６に表示されるので、ユーザに携帯電話１が省電力モードになったことを知らせることができる。
【００３６】
制御部２１は、ステップＳ０７では、省電力モードになってから所定時間が経過したか否かを判断し、所定時間経過していなければ処理をステップＳ０６に戻し、所定時間経過したならば処理をステップＳ０８に進める。ステップＳ０８では、制御部２１は、省電力モードを解除し、携帯電話１を省電力モードから通常モードに切換える。これにより、携帯電話１が所定時間、省電力モードとされ、二次電池４１に電力が蓄電される。所定の時間は、二次電池４１の蓄電容量が回復するのに十分な時間である。制御部２１は、ステップＳ０９では、ＬＣＤ１６に待ち受け画面を表示させる。これにより、ユーザに携帯電話１が通常モードになったことを知らせることができる。
【００３７】
なお、ステップＳ０２では、外部電力検出部４４から外部電源４５が出力する電流の電流値を取得するようにしたが、外部電力検出部４４から外部電源４５が携帯電話１に接続されているか否かを示す信号を取得するようにしてもよい。外部電源４５が出力する電力が定められている場合には、予め定められた電流値を記憶しておけばよい。また、ステップＳ０３では、電源制御部３５が出力する電流の電流値を取得するようにしたが、携帯電話１の制御部２１が実行するアプリケーションプログラムごとに、それが制御部２１で実行されることにより携帯電話１で消費される電力を対応付けたテーブルを予め記憶しておき、制御部２１で実行されているアプリケーションプログラムに対応する消費電力をテーブルから読み出して、携帯電話１の消費電力を求めるようにしてもよい。テーブルは、複数種類のアプリケーションプログラムごとに最大消費電力を関連付けておけばよい。この場合、消費電力検出部３６は不要である。
【００３８】
本実施の形態における携帯電話１は、携帯電話１で消費される消費電力が、外部電源４５から供給される電力より大きければ、携帯電話１を所定時間省電力モードにする。これにより、所定時間に二次電池４１に外部電源４５から電力が供給され、充電される。ユーザは、警告画面を見て携帯電話１が省電力モードとなったことを知ることができるので、ユーザが、二次電池の充電が完了するまでの間、消費電力が外部電源４５の出力電力を超える使用を控えれば、二次電池の蓄電容量が減少して携帯電話１の駆動が突然停止することがない。
【００３９】
＜第２の実施の形態＞
第１の実施の形態においては、携帯電話１は、外部電源が供給する電力の大きさに係わらず、携帯電話１を単一の省電力モードに設定するものであった。第２の実施の形態における携帯電話１は、複数のレベルの省電力モードに設定可能とし、携帯電話１に接続された外部電源４５の出力電力に応じたレベルの省電力モードに設定するようにしたものである。その他の構成は、上述した携帯電話１と同様なので、ここでは説明を繰り返さない。第２の実施の形態における携帯電話１は、出力電力の異なる複数種類の外部電源４５があり、携帯電話１に複数種類の外部電源４５のいずれもが接続可能な場合に対応することができる。
【００４０】
図５は、省電力モードのレベルを定義した省電力モード定義テーブルの一例を示す図である。この省電力モード定義テーブルは、ＲＯＭ３１に予め記憶されている。図５を参照して、省電力モード定義テーブルは、レベル１〜３の３つの省電力モードそれぞれで停止させる機能を定義する。ここでは、機能に優先順位を付して、優先順位の低いものから順にレベル１〜３に分類している。レベル１の省電力モードには、音楽と動画を再生する機能、テレビ・ラジオを視聴する機能、および、カメラ撮影・録音機能が対応付けられる。レベル１の省電力モードでは、これらの機能の実行が禁止される。レベル２の省電力モードには、外部通信の機能、ゲーム機能、およびＷｅｂブラウジング機能が対応付けられる。レベル２の省電力モードでは、レベル１に対応付けられた機能に加えて、レベル２に対応付けられた機能の実行が禁止される。レベル３の省電力モードには、アドレス帳編集機能、および電子メール送受信機能が対応付けられる。レベル３の省電力モードでは、レベル１およびレベル２それぞれに対応付けられた機能に加えて、レベル３に対応付けられた機能の実行が禁止される。
【００４１】
また、省電力モード定義テーブルは、外部電源４５の出力電力を、高、中、低の３つに分類し、分類した出力電圧と省電力モードのレベルとを対応付ける。出力電力が高い場合にレベル１の省電力モードが対応付けられ、出力電力が中の場合にレベル２の省電力モードが対応付けられ、出力電力が小の場合にレベル３の省電力モードが対応付けられる。省電力モード定義テーブルは、外部電源４５の出力電力が小さいほど、停止させる機能を多く定義する。
【００４２】
なお、図５に示した省電力モード定義テーブルは、１つの例示であってこれに限定されるものではなく、外部電源４５の出力電力に応じて、停止させる機能を対応つけたものであればよい。また、省電力モード定義テーブルは、各レベルの省電力モードにある携帯電話１の消費電力が外部電源４５の出力電力より小さくなるように、外部電源４５の出力電力と、携帯電話１で実行可能な機能とを対応付けたものであってもよい。このため、省電力モード定義テーブルは、省電力モードのレベルに、停止させる機能を対応付けるのではなく、消費電力を低下させる制限、たとえば、ＬＣＤ１６の輝度を低下させる、出力音量を低下させる、または通信のための頻度を低下させる等の制限を対応付けてもよい。
【００４３】
図６は、第２の実施の形態における携帯電話１の制御部２１で実行されるモード切換処理の流れの一例を示すフローチャートである。図６を参照して、ステップＳ１１からステップＳ１４は、図４に示したモード切換処理のステップＳ０１〜ステップＳ０４とそれぞれ同じである。従ってそれらについての説明は繰り返さない。
【００４４】
制御部２１は、ステップＳ１５において、ステップＳ１２で取得した外部電源４５の電流値から出力電力を求め、ＲＯＭ３１から省電力モード定義テーブルを読出して省電力モード定義テーブルで定義された出力電力が分類されるレベルを決定する。そして、制御部２１は、ステップＳ１５で決定されたレベルの省電力モードに携帯電話１を設定する（ステップＳ１６）。制御部２１は、レベル１の省電力モードに携帯電話１が設定されると、音楽・動画を再生する機能を停止させ、テレビ・ラジオを視聴する機能を停止させ、また、カメラ撮影・録音機能を停止させる。具体的には、制御部２１は、携帯電話１をテレビまたはラジオとして機能させるためのアプリケーションプログラム、携帯電話１をデジタルカメラまたはデジタルビデオカメラとして機能させるためのアプリケーションプログラム、および携帯電話１をオーディオ機器として機能させるためのアプリケーションプログラムを終了させる。また、制御部２１は、レベル２の省電力モードに携帯電話１が設定されると、レベル１の省電力モードで停止された機能に加えて、外部通信の機能、ゲーム機能、およびＷｅｂブラウジング機能を停止させる。具体的には、制御部２１は、レベル１の省電力モードで終了させたアプリケーションプログラムに加えて、携帯電話１を外部機器と通信する通信機器として機能させるためのアプリケーションプログラム、携帯電話１をゲーム機として機能させるためのアプリケーションプログラム、およびブラウジングプログラムの実行を終了させる。さらに、制御部２１は、レベル３の省電力モードに携帯電話１が設定されると、レベル２の省電力モードで停止された機能に加えて、アドレス帳編集機能、および電子メール送受信機能を停止させる。具体的には、制御部２１は、レベル２の省電力モードで終了させたアプリケーションプログラムに加えて、アドレス帳を編集するためのアプリケーションプログラム、および電子メールを送受信するためのアプリケーションプログラムの実行を終了させる。
【００４５】
なお、ここでは、アプリケーションプログラムの実行を終了させる例を示したが、外部電源４５の出力電力が大に対応付けられるレベル１の省電力モードでは、アプリケーションプログラムの実行を終了させて機能を停止させるのではなく、たとえば、ＬＣＤ１６の輝度を低下させる、または、音量を低下させるなどして消費電力を低下させるようにしてもよく、外部電源４５の出力電力が中または小に対応付けられるレベル２またはレベル３で、アプリケーションプログラムの実行を終了させて機能を停止させるようにしてもよい。
【００４６】
制御部２１は、省電力モードになってから所定時間が経過したならば（ステップＳ１７でＹＥＳ）、省電力モードを解除し、携帯電話１を省電力モードから通常モードに切換え（ステップＳ１８）、処理を終了する。これにより、携帯電話１が所定時間、省電力モードとされる。制御部２１は、ステップＳ０９では、ＬＣＤ１６に待ち受け画面を表示させる。これにより、ユーザに携帯電話１が通常モードになったことを知らせることができる。
【００４７】
第２の実施の形態における携帯電話１は、携帯電話１で消費される消費電力が、外部電源４５から供給される電力より大きければ、携帯電話１を所定時間省電力モードにするが、外部電源４５から供給される電力によって、省電力モードのレベルを異ならせる。省電力モード定義テーブルは、外部電源４５の出力電力が小さいほど、停止させる機能を多く定義するので、外部電源４５から供給される電力に応じて定まるレベルの省電力モードに携帯電話１を設定することによって、携帯電話１全体の消費電力を外部電源４５の出力電力以下とすることができる。このため、携帯電話１を充電中に、外部電源４５の出力電力により使用可能な機能は異なるけれども、可能な限りの機能を使用可能にすることができる。また、二次電池４１の充電が完了するまでの間、消費電力が外部電源４５の出力電力を超える使用を控えれば、二次電池の蓄電容量が減少して携帯電話１の駆動が突然停止することがない。
【００４８】
＜変形例＞
第２の実施の形態における携帯電話１では、外部電源４５から電力が携帯電話１に供給される例を示した。携帯電話１は、外部通信接続端子３４に接続された外部機器から電力が供給される場合がある。変形例における携帯電話１は、外部通信接続端子３４に接続された外部機器から電力が供給される場合に対応したものである。外部通信接続端子３４から供給される電力と、外部電源４５から供給される電力とが異なるからである。
【００４９】
図７は、第２の実施の形態の変形例における携帯電話の機能の一例を示す機能ブロック図である。図７を参照して、図２と異なる点は、外部通信接続端子３４に接続された外部の機器から供給される電力が、電源制御部３５Ａに入力される点である。その他の構成は、第２の実施の形態における携帯電話１と同じなので、ここでは説明を繰り返さない。
【００５０】
電源制御部３５Ａの外部電力検出部４４Ａは、外部電源４５が外部電源端子４３に接続されていることを検出し、外部電源４５が接続されているか否かを示す信号を制御部２１に出力する。また、外部電力検出部４４Ａは、外部通信接続端子３４に接続された外部機器から電力が供給されているか否かを検出し、外部通信接続端子３４に接続された外部機器から電力が供給されているか否かを示す信号を制御部２１に出力する。
【００５１】
電源制御部３５Ａは、外部電源４５が外部電源出力端子４３に接続されている場合は、上述したのと同様にして、携帯電話１に電力を供給する。また、電源制御部３５Ａは、外部通信接続端子３４に接続された外部機器から電力が供給されている状態で、携帯電話１で消費される消費電力が外部通信接続端子３４から供給される電力より小さい場合、外部通信接続端子３４から供給される電力を、携帯電話１に供給しつつ残りの電力を二次電池４１に供給して二次電池４１を充電する。また、電源制御部３５Ａは、携帯電話１で消費される消費電力が外部通信接続端子３４から供給される電力を超える場合、二次電池４１に蓄積された電力を出力させて、外部通信接続端子３４から供給される電力に加えて、携帯電話１に供給するように構成される。このため、携帯電話１が外部通信接続端子３４から電力が供給される状態では、携帯電話１は、外部通信接続端子３４から供給される電力を消費するが、消費電力が外部通信接続端子３４から供給される電力を超える場合、二次電池４１に蓄積された電力が消費される。
【００５２】
変形例における携帯電話１では、図５に示した省電力モード定義テーブルのレベル１と、レベル２とが用いられる。外部電源４５の出力電力が、外部通信接続端子３４から供給される電力よりも大きい。このため、モード切換部５１は、外部電源４５から電力が供給される状態で、携帯電話１の消費電力が外部電源４５から供給される電力を超えた場合には、レベル１の省電力モードに携帯電話１を設定し、レベル１で定義された機能を停止させる。また、モード切換部５１は、外部通信接続端子３４から電力が供給される状態で、携帯電話１の消費電力が外部通信接続端子３４から供給される電力を超えた場合には、レベル２の省電力モードに携帯電話１を設定し、レベル１およびレベル２で定義された機能を停止させる。
【００５３】
なお、外部電力検出部４４Ａで、外部通信接続端子３４から供給される電力を測定するようにし、外部通信接続端子３４から供給される電力を測定した値または、外部電源４５の出力電力を測定した値のいずれかをモード切換部５１に出力するようにしてもよい。この場合には、第２の実施の形態で説明したように、図５に示した省電力モード定義テーブルを用いて、外部から入力される電力に応じた省電力モードのレベルを決定して、携帯電話１を決定した省電力モードに設定することができる。
【００５４】
＜第３の実施の形態＞
第３の実施の形態における携帯電話１は、第１の実施の形態における携帯電話１に、二次電池４１の電圧を検出する機能を追加してモード切換部５１の処理を変更したものである。その他の構成は、第１の実施の形態における携帯電話１と同じなので、ここでは説明を繰り返さない。
【００５５】
図８は、第３の実施の形態における携帯電話の機能の一例を示す機能ブロック図である。図８を参照して、携帯電話１は、図２に示した第１の実施の形態における携帯電話１と異なる点は、電源制御部３５Ｂに二次電池４１の電圧を検出するための電圧検出部４２を追加した点、モード切換部５１Ａの処理を変更した点である。電圧検出部４２は、二次電池４１の出力端子間の電圧を測定し、測定した電圧を制御部２１に出力する。モード切換部５１Ａは、消費電力検出部３６から携帯電話１で消費されている消費電力が入力され、外部電力検出部４４から外部電源４５の出力端子の電流値が入力され、電圧検出部４２から二次電池４１の出力端子間の電圧値が入力される。モード切換部５１Ａは、消費電力検出部３６から入力された消費電力が外部から供給される電力を超えており、かつ、二次電池４１の電圧が所定のしきい値Ｔを下回っていれば、携帯電話１を二次電池４１の蓄電容量が回復する所定時間の間、省電力モードに切換える。ここでは、省電力モードでは、制御部２１は、電話の機能を除いて全て実行しない。これにより、携帯電話１で消費される電力が減少するので、二次電池４１に電力を供給して、蓄電させることができる。
【００５６】
モード切換部５１Ａは、携帯電話１が省電力モードにあるとき、処理を実行することができないことを示すメッセージを含む警告画面をＬＣＤ１６に表示させる。そして、モード切換部５１Ａは、省電力モードとなっている期間が所定時間を超えると、省電力モードを解除して携帯電話１を通常モードに切換える。この際、モード切換部５１Ａは、通常モードに切換わったことを示すために待ち受け画面をＬＣＤ１６に表示させる。このため、ユーザは、待ち受け画面が表示されていることを確認して、通常の操作の入力が可能であることを知ることができる。
【００５７】
図９は、第３の実施の形態における携帯電話１の制御部２１で実行されるモード切換処理の流れの一例を示すフローチャートである。図９を参照して、ステップＳ２１からステップＳ２３は、図４に示したモード切換処理のステップＳ０１〜ステップＳ０３とそれぞれ同じである。従ってそれらについての説明は繰り返さない。
【００５８】
制御部２１は、ステップＳ２４では、ステップＳ２３で取得した消費電流値とステップＳ２２で取得した外部電源４５の電流値とを比較し、消費電流が外部電源４５の電流値より大きければ処理をステップＳ２５に進め、そうでなければ処理をステップＳ２１に戻す。消費電流が外部電源４５の電流値より小さくなければ、二次電池４１が蓄電する電力が消費されることなく、充電されるからである。制御部２１は、ステップＳ２５で、二次電池４１の出力電圧Ｖを取得する。電圧検出部４２で二次電池４１の出力端子間の電圧が計測され、電圧検出部４２が計測した電圧値を制御部２１に出力するので、制御部２１は、電圧検出部４２から入力される電圧値を二次電池４１の出力電圧Ｖとして取得する。制御部２１は、ステップＳ２６で、ステップＳ２５で取得した二次電池４１の出力電圧Ｖをしきい値Ｔと比較し、出力電圧Ｖがしきい値より小さければ処理をステップＳ２７に進め、そうでなければ処理をステップＳ２１に戻す。ステップＳ２７〜ステップＳ３１の処理は、図４に示したモード切換処理のステップＳ０５〜ステップＳ０９とそれぞれ同じである。従ってそれらについての説明は繰り返さない。
【００５９】
第３の実施の形態における携帯電話１は、携帯電話１で消費される消費電力が、外部電源４５から供給される電力より大きく、かつ、二次電池４１の出力電圧Ｖがしきい値Ｔより小さければ、携帯電話１を所定時間省電力モードにする。二次電池４１の出力電圧Ｖから二次電池４１の蓄電容量がわかるので、二次電池４１の蓄電容量が少ないときに限って、携帯電話１を省電力モードに設定して携帯電話１全体の消費電力が外部電源４５の出力電力以下として、二次電池４１を充電することができる。二次電池４１の蓄電容量を所定の容量以上に保つことができるので、二次電池４１の出力電力が低下して、携帯電話１が突然駆動しなくなるのを防止することができる。なお、第２の実施の形態における携帯電話を、第３の実施の形態における携帯電話１に適用できる。この場合、図９のステップＳ２７〜Ｓ３１の処理に代えて、図６のステップＳ１５〜ステップＳ１８の処理が実行される。
【００６０】
＜第４の実施の形態＞
第３の実施の形態における携帯電話１は、携帯電話１を省電力モードにする期間を、予め定められた所定の時間とするものであった。第４の実施の形態における携帯電話１は、二次電池４１の出力電圧がしきい値Ｖより小さいときに、携帯電話１を省電力モードに設定するようにするものである。このため、携帯電話１を充電中に、二次電池４１の出力電圧がしきい値Ｖ以上であれば、所定時間が経過しなくても携帯電話１は通常モードに設定される。
【００６１】
図１０は、第４の実施の形態における携帯電話１の制御部２１で実行されるモード切換処理の流れの一例を示すフローチャートである。図１０を参照して、ステップＳ４１〜ステップＳ４５の処理は、図９に示したモード切換処理のステップＳ２１〜ステップＳ２５と同じであるので、ここでは説明を繰り返さない。制御部２１は、ステップＳ４６において、ステップＳ４５で取得した二次電池４１の出力電圧Ｖをしきい値Ｔと比較し、出力電圧Ｖがしきい値より小さければ処理をステップＳ４７に進め、そうでなければ処理をステップＳ４８に進める。制御部２１は、ステップＳ４７で携帯電話１を省電力モードに設定した後、処理をステップＳ４１に戻し、ステップＳ４８で携帯電話１を通常モードに設定した後、処理をステップＳ４１に戻す。
【００６２】
第４の実施の形態における携帯電話１は、携帯電話１で消費される消費電力が、外部電源４５から供給される電力より大きく、かつ、二次電池４１の出力電圧Ｖがしきい値Ｔより小さければ、携帯電話１を省電力モードに設定するが、二次電池４１の出力電圧Ｖがしきい値Ｔ以上となれば、携帯電話１を通常モードに設定する。このため、携帯電話１が省電力モードとなる時間をできるだけ短くすることができる。また、二次電池４１の蓄電容量を所定の容量以上に保つことができるので、二次電池４１の出力電力が低下して、携帯電話１が突然駆動しなくなるのを防止することができる。なお、第２の実施の形態における携帯電話を、第４の実施の形態における携帯電話１に適用できる。この場合、図１０のステップＳ４７の処理に代えて、図６のステップＳ１５およびステップＳ１６の処理が実行される。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６５】
【図１】本発明の第１の実施の形態における携帯電話の外観を示す斜視図である。
【図２】第１の実施の形態における携帯電話の機能の一例を示す機能ブロック図である。
【図３】省電力モードでＬＣＤに表示される警告画面の一例を示す図である。
【図４】第１の実施の形態における携帯電話の制御部で実行されるモード切換処理の流れの一例を示すフローチャートである。
【図５】省電力モードのレベルを定義した省電力モード定義テーブルの一例を示す図である。
【図６】第２の実施の形態における携帯電話の制御部で実行されるモード切換処理の流れの一例を示すフローチャートである。
【図７】第２の実施の形態の変形例における携帯電話の機能の一例を示す機能ブロック図である。
【図８】第３の実施の形態における携帯電話の機能の一例を示す機能ブロック図である。
【図９】第３の実施の形態における携帯電話の制御部で実行されるモード切換処理の流れの一例を示すフローチャートである。
【図１０】第４の実施の形態における携帯電話の制御部で実行されるモード切換処理の流れの一例を示すフローチャートである。
【符号の説明】
【００６６】
１  携帯電話、２  表示側部、３  操作側部、１１  第１スピーカ、１２  第２スピーカ、１３  マイク、１４  操作キー、２１  制御部、２２  無線回路、２２Ａ  アンテナ、２３  チューナ、２４  カメラ、２５  操作部、２５Ａ  ランプ、２６  振動部、２７  カードＩ／Ｆ、２７Ａ  フラッシュメモリ、２８  コーデック部、２９  ＡＶデコーダ、３０  表示制御部、３１  ＲＯＭ、３２  ＲＡＭ、３３  ＥＥＰＲＯＭ、３４  外部通信接続端子、３５，３５Ａ，３５Ｂ  電源制御部、３６  消費電力検出部、４１  二次電池、４２  電圧検出部、４３  外部電源端子、４４，４４Ａ  外部電力検出部、４５  外部電源、５１，５１Ａ  モード切換部。
【図１】
0004791162.tif 000002
【図２】
0004791162.tif 000003
【図３】
0004791162.tif 000004
【図４】
0004791162.tif 000005
【図５】
0004791162.tif 000006
【図６】
0004791162.tif 000007
【図７】
0004791162.tif 000008
【図８】
0004791162.tif 000009
【図９】
0004791162.tif 000010
【図１０】
0004791162.tif 000011